(57)【要約】      （修正有）【課題】自分の寝姿勢に合わせた使い方ができ、簡単に高さ等を調整することができるタオルを提供する。【解決手段】枕としても利用可能なタオル１０であって、少なくとも、ベース側タオル１１と、アタッチメント側タオル１２と、アタッチメント側タオル１２をベース側タオル１１に着脱可能な取付部１３とを備え、アタッチメント側タオル１２は、背中側領域と頭側領域に分けられることで、ベース側タオル１１に取り付けられた状態で巻回可能である。【選択図】図１
0003224809.tif 000002
【実用新案登録請求の範囲】
【請求項１】
枕としても利用可能なタオルであって、
少なくとも、ベース側タオルと、アタッチメント側タオルと、前記アタッチメント側タオルを前記ベース側タオルに着脱可能な取付部とを備え、
前記アタッチメント側タオルは、前記ベース側タオルに取り付けられた状態で巻回可能であることを特徴とするタオル。
【請求項２】
前記アタッチメント側タオルの前記取付部が備えられている面の少なくとも一部はガーゼ面であることを特徴とする請求項１に記載のタオル。
【請求項３】
前記取付部はスナップボタンであることを特徴とする請求項１又は請求項２に記載のタオル。
【考案の詳細な説明】
【技術分野】
【０００１】
本考案は、自分の寝姿勢に合わせて簡単に高さ等を調整することが可能なタオルに関する。
【背景技術】
【０００２】
自宅等で横になってくつろぐ場合や、睡眠をとる際には枕が利用されることが多い。しかしながら、枕の高さがあっていない場合や、ちょうどいい高さの枕がその場にない場合には横になった際に頭や首に対する負担が大きくなり、健康にもよくない。
【０００３】
例えば、特許文献１には、タオル地の布を主体として形成され、使用者が横たわる際に敷いて使用される横臥用タオルであって、使用者の頭部に該当する部分には枕収容部が形成され、当該枕収容部に枕が入出可能に収容されている横臥用タオルが記載されている。
【０００４】
特許文献１によれば、使用者の頭部に該当する部分に形成された枕収容部に枕が収容されている（枕が内蔵されている）ため、使用者は、枕を別個に用意することなく、自身の頭部を他の部分よりも高い位置に維持することができる。また、枕は枕収容部に収容されているため、枕の位置がずれることも防止される。
【先行技術文献】
【特許文献】
【０００５】
【特許文献１】実用新案登録第３２０９４５８号公報
【考案の概要】
【考案が解決しようとする課題】
【０００６】
しかしながら、特許文献１に記載されているような横臥用タオルであっても、収容する枕が自分の寝姿勢にあっていない場合には、頭や首に負担がかかってしまう。このため、どこでも気軽に自分の頭にあった枕を形成できる商品が求められていた。
【０００７】
そこで、本考案は、上記課題に鑑みてなされたものであり、自分の寝姿勢に合わせた使い方ができ、簡単に高さ等を調整することが可能なできるタオルを提供することを目的とする。
【課題を解決するための手段】
【０００８】
本考案の一態様は、枕としても利用可能なタオルであって、少なくとも、ベース側タオルと、アタッチメント側タオルと、アタッチメント側タオルをベース側タオルに着脱可能な取付部とを備え、アタッチメント側タオルは、ベース側タオルに取り付けられた状態で巻回可能である。
【０００９】
本考案の一態様によれば、アタッチメント側タオルを巻回する（巻き付ける）ことで、ベース側タオル上に枕部を形成することができ、また巻回の仕方によって高さ等を簡単に調整することもできる。
【００１０】
このとき、本考案の一態様では、アタッチメント側タオルの取付部が備えられている面の少なくとも一部はガーゼ面であるとしてもよい。
【００１１】
このようにすることで、アタッチメント側タオルの頭を乗せる部分の材質をガーゼ（綿）とすることができるため、頭や首筋を乗せた時の肌触りを快適なものにすることができる。
【００１２】
また、本考案の一態様では、取付部はスナップボタンとすることができる。
【００１３】
このようにすることで、アタッチメント側タオルとベース側タオルとの着脱を簡易に行うことができる。
【考案の効果】
【００１４】
以上説明したように本考案によれば、自分の寝姿勢に合わせた使い方ができ、簡単に高さ等を調整することが可能なできるタオルを提供できる。
【図面の簡単な説明】
【００１５】
【図１】本考案の一実施形態に係るタオルを示した斜視図である。
【図２】アタッチメント側タオルの取付部が備えられている面の平面図である。
【図３】本考案の一実施形態に係るタオルの使用態様を説明するための斜視図である。
【図４】本考案の一実施形態に係るタオルの使用態様を説明するための斜視図である。
【考案を実施するための形態】
【００１６】
以下、本考案の好適な実施の形態について詳細に説明する。なお、以下に説明する本実施形態は、実用新案登録請求の範囲に記載された本考案の内容を不当に限定するものではなく、本実施形態で説明される構成の全てが本考案の解決手段として必須であるとは限らない。
【００１７】
図１は、本考案の一実施形態に係るタオルを示した斜視図である。本考案の一態様は、枕としても利用可能なタオル１０であって、少なくとも、ベース側タオル１１と、アタッチメント側タオル１２と、アタッチメント側タオル１２をベース側タオル１１に着脱可能な取付部１３とを備え、アタッチメント側タオル１２は、ベース側タオル１１に取り付けられた状態で巻回可能である。以下、各構成について説明する。
【００１８】
ベース側タオル１１は、床面等に敷かれて使用される部分のタオルである。大きさは特には限定されないが、少なくとも頭を乗せて横になるという使用方法からすると、例えば、バスタオル程度の大きさ（１００ｃｍ×５０ｃｍ〜２００ｃｍ×１００ｃｍ）や厚さを有することが好ましい。また、素材も綿、麻等の天然繊維、あるいは、ポリエステル、アクリル、ナイロン等の化学繊維など、特に限定はされないが、汗を吸収しやすいという観点から綿素材とすることが好ましい。タオル生地についても限定はされず、例えば、ベース側タオル１１については全面パイル生地等が適用される。また、タオルの端部には例えばパイピング加工が施される。
【００１９】
アタッチメント側タオル１２は、ベース側タオル１１に取り付けて使用する部分のタオルである。大きさは例えばベース側タオル１１と同じ大きさであるが、ベース側タオル１１よりも大きくても小さくてもよい。また、素材やパイピング加工等についてはベース側タオル１１と同様である。アタッチメント側タオル１２は、ベース側タオル１１に取り付けられた状態で巻回可能とすることにより枕部を形成できる。本考案の一実施形態に係るタオル１０の具体的な使用方法については後述する。
【００２０】
なお、ベース側タオル１１及びアタッチメント側タオル１２は必ずしも１種類のみに限定されず、異なる大きさや厚さのもの、表裏で素材や生地の異なるものなどを複数種類用意しておいてもよい。そしてこのような複数種類のベース側タオル１１及びアタッチメント側タオル１２を場面によって適宜組み合わせて使い分けても良い。
【００２１】
取付部１３は、ベース側タオル１１とアタッチメント側タオル１２とを脱着可能な状態で取り付ける。取付部１３は、例えば、スナップボタンや面ファスナー等であり、一方のタオルにオス側の部材１３Ａが取り付けられ、他方のタオルにメス側の部材１３Ｂが取り付けられることで、ベース側タオル１１とアタッチメント側タオル１２とが脱着可能な状態となる。用いられるスナップボタンなどの留め具は、金属製、プラスチック製、ゴム製などが挙げられるが、肌への異物感を感じさせないためにも、プラスチック製やゴム製が好ましい。
【００２２】
図２は、アタッチメント側タオル１２の取付部１３が備えられている面の平面図である。図２に示すように、アタッチメント側タオル１２は、取付部１３により、背中側領域１４と頭側領域１５に分けられる。そして、後述するようにアタッチメント側タオル１２は、ベース側タオル１１に対して巻回されることにより、枕部１６が形成され、使用者はこの枕部１６に頭部又は首筋を乗せることによって本考案の一実施形態に係るタオル１０を使用する。
【００２３】
この時の、アタッチメント側タオル１２の素材として、取付部１３が備えられていない面、及び、背中側領域１４はベース側タオル１１と同様にパイル生地を用いることができるが、頭側領域１５にはガーゼ面（ガーゼ織）とすることが好ましい。アタッチメント側タオル１２の頭側領域１５は、枕部１６を形成した際に直接使用者の頭部又は首筋に接する面となるため、ガーゼ面（ガーゼ織）としておくことで、肌触りを良くして使用感をより快適にすることができる。
【００２４】
また、アタッチメント側タオル１２における取付部１３の位置は特に限定されないが、後述するように背中側領域１４を取付部１３まで巻回し、その後、頭側領域１５を被せて枕部１６を形成するという用途に沿うように、例えば、タオル１０の横幅が１００ｃｍの場合であれば、頭側領域１５の端部から３０〜４０ｃｍの位置に取付部１３を設けることが好ましい。
【００２５】
次に、本考案の一実施形態に係るタオル１０の使用態様について説明する。図３、図４は本考案の一実施形態に係るタオルの使用態様を説明するための斜視図である。本考案の一実施形態に係るタオル１０では、アタッチメント側タオル１２がベース側タオル１１に取り付けられた状態で、図３に示すようにアタッチメント側タオル１２の背中側領域１４をその端部から取付部１３に向けて巻回する。巻回の方法はロール状に巻いていっても良いし、所定の幅で折り畳みながら巻いていくような方法でも良い。このようにすることで、タオル１０の取付部１３の近辺にアタッチメント側タオル１２の背中側領域１４が巻かれたものが形成される。
【００２６】
次に、図４に示すように、アタッチメント側タオル１２の頭側領域１５を先に巻回して形成されたアタッチメント側タオル１２の背中側領域１４の上から覆うように被せて枕部１６を形成する。この時、アタッチメント側タオル１２の頭側領域１５の端部を形成した枕部１６に巻き込むようにすると良い。このようにすることで、ベース側タオル１１上に、アタッチメント側タオル１２による枕部１６が形成されるため、使用者はこの枕部１６に後頭部又は首筋を乗せることによって楽な姿勢で休息をとることができる。また、アタッチメント側タオル１２の巻き方や折り方を適宜調整することにより、利用者の好みに合った高さにすることもできるので調整が容易である。
【００２７】
また、この時、アタッチメント側タオル１２の取付部１３がある側の頭側領域１５をガーゼ面（ガーゼ織）としておくことにより、枕部１６の表面がこのガーゼ面となるため、利用者が頭部や首筋を枕部１６に乗せた際に肌触りを良くして使用感をより快適にすることができる。なお、ベース側タオル１１やアタッチメント側タオル１２の素材や生地はこれまで説明したような綿によるパイル生地やガーゼ生地のみに限定されず、使用の用途や季節に応じて適宜素材や生地を変更してもよい。
【００２８】
以上説明したように、本考案の一実施形態に係るタオル１０を採用することにより、自分の寝姿勢に合わせた使い方ができ、簡単に高さ等を調整することが可能となる。
【００２９】
なお、上記のように本考案の一実施形態について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００３０】
例えば、明細書又は図面において、少なくとも一度、より広義又は同義な異なる用語と共に記載された用語は、明細書又は図面のいかなる箇所においても、その異なる用語に置き換えることができる。また、タオルの構成、動作も本考案の一実施形態で説明したものに限定されず、種々の変形実施が可能である。
【符号の説明】
【００３１】
１０  タオル、１１  ベース側タオル、１２  アタッチメント側タオル、１３  取付部、１３Ａ  オス側の部材、１３Ｂ  メス側の部材、１４  背中側領域、１５  頭側領域、１６  枕部
【図１】
0003224809.tif 000003
【図２】
0003224809.tif 000004
【図３】
0003224809.tif 000005
【図４】
0003224809.tif 000006
【手続補正書】
【提出日】令和1年11月18日(2019.11.18)
【手続補正１】
【補正対象書類名】実用新案登録請求の範囲
【補正対象項目名】全文
【補正方法】変更
【補正の内容】
【実用新案登録請求の範囲】
【請求項１】
枕としても利用可能なタオルであって、
少なくとも、ベース側タオルと、アタッチメント側タオルと、前記アタッチメント側タオルを前記ベース側タオルに着脱可能な取付部とを備え、
前記アタッチメント側タオルは、前記取付部により、背中側領域と頭側領域に分けられることで、巻回可能であることを特徴とするタオル。
【請求項２】
前記アタッチメント側タオルの前記取付部が備えられている面の少なくとも一部はガーゼ面であることを特徴とする請求項１に記載のタオル。
【請求項３】
前記取付部はスナップボタンであることを特徴とする請求項１又は請求項２に記載のタオル。
【手続補正２】
【補正対象書類名】明細書
【補正対象項目名】０００８
【補正方法】変更
【補正の内容】
【０００８】
本考案の一態様は、枕としても利用可能なタオルであって、少なくとも、ベース側タオルと、アタッチメント側タオルと、アタッチメント側タオルをベース側タオルに着脱可能な取付部とを備え、アタッチメント側タオルは、取付部により、背中側領域と頭側領域に分けられることで、巻回可能である。
【手続補正３】
【補正対象書類名】明細書
【補正対象項目名】００１７
【補正方法】変更
【補正の内容】
【００１７】
図１は、本考案の一実施形態に係るタオルを示した斜視図である。本考案の一態様は、枕としても利用可能なタオル１０であって、少なくとも、ベース側タオル１１と、アタッチメント側タオル１２と、アタッチメント側タオル１２をベース側タオル１１に着脱可能な取付部１３とを備え、アタッチメント側タオル１２は、取付部１３により、背中側領域１４と頭側領域１５に分けられることで、で巻回可能である。以下、各構成について説明する。